(57)【要約】【課題】傘の軽薄短小化を達成する下ロクロ固定構造を提供する。【解決手段】上端に係止部が形成されて「く」の字型を成す係止片が下ロクロにて「く」の字の屈曲点で受け骨とともにワイヤに回動可能に枢支され、中棒上方にあって係止部と係合可能な係合部と、係止片の「く」の字下方延長部を案内する溝が形成されて下ロクロに対して摺動する把持部と、係止片の下方延長部を中棒から外側方向へ付勢する弾性体とを備え、把持部を上方に摺動させる動作に連動して下ロクロが上方へ摺動し、係止部が係合部と係合して下ロクロが摺動不能に固定され、把持部を下方へ摺動させるのに連動して係止片の下方延長部が溝の底面形状に案内されて弾性体による付勢に抗して中棒側へ回動することで上方延長部が中棒に対して放射外方向へ回動して係止部と係合部の係合が解除される下ロクロ固定構造とした。【選択図】図５
2009045359.tif 000002
【特許請求の範囲】
【請求項１】
傘において、受け骨の中棒側端部を枢支ワイヤにて枢支する枢支部と、該枢支部の下方に一体的に形成された下ロクロ筒部とを備えて該中棒に摺動自在に案内される中空筒状の下ロクロを該中棒の上方で固定して開傘状態を維持するための構造であって、
該中棒に対して上下方向外側に延長して略「く」の字形を成し、当該「く」の字の屈曲点で該受け骨とともに該枢支ワイヤにて枢支され、該枢支ワイヤを軸として回動可能な係止片と、
該係止片の上端に形成された係止部と
該中棒上方に固定されて、該係止部と係合可能な係合部と、
該下ロクロ筒部に環装されて、該筒部に対して摺動可能な中空筒状の把持部と、
該把持部の筒内壁に上下方向に延長して画成されて該係止片の下方延長部を案内する溝と、
該係止片の下方延長部と該下ロクロ筒部の側面との間に介在する弾性体と、
を備え、
該弾性体は、該係止片の下方延長部を該中棒に対して放射方向外側へ付勢し、
該溝の底面形状は、該把持部を該下ロクロ筒部に対して下方に摺動させた状態では該弾性体の付勢に抗して該係止部の下端を該中棒側へ近接させるとともに、該下ロクロ筒部に対して上方に摺動させた状態では該弾性体による付勢を許すように形成され、
該把持部を該下ロクロに対して上方に摺動させた後、さらに上方へ摺動させる動作に連動して該下ロクロが該中棒に対して上方へ摺動し、該係止部と該係合部が対応する位置にて係合して該下ロクロを摺動不能にして、開傘状態を維持させ、
該係止片の下方延長部は、開傘状態における該把持部の下方への摺動動作に連動して該弾性体による付勢に抗して該中棒側へ回動し、該上方延長部が該中棒に対して放射外方向へ回動し、該係止部と該係合部の係合が解除される
ことを特徴とする傘における下ロクロ固定構造。
【請求項２】
前記中棒の上方に固定される中空筒状の下ロクロ固定部を備え、前記係合部は、該下ロクロ固定部の側面に穿設された穴であり、前記係止部は、前記係止片の上方先端に中棒側に鈎型に屈曲するフックであることを特徴とする請求項１に記載の傘における下ロクロ固定構造。
【請求項３】
前記中棒の上方に固定される中空筒状の下ロクロ固定部を備え、前記係合部は、該下ロクロ固定部の側面に突設された突起であり、前記係止部は、前記係止片の上方先端に穿設されて当該突起が挿入される穴であることを特徴とする請求項１に記載の傘における下ロクロ固定構造。
【請求項４】
前記溝は、前記把持部の下端から上端へ向けて徐々に底が浅くなるように傾斜し、該把持部上端における溝の底は、該把持部を前記下ロクロ筒部に対して下方に摺動させた状態において前記係止片の下方延長部に当接して前記弾性体の付勢に抗して前記係止部の下端を前記中棒側へ近接させ、該把持部下端における溝の底は、該把持部を該下ロクロ筒部に対して上方に摺動させた状態において、該弾性体による付勢を許す深さに形成されていることを特徴とする請求項１〜３のいずれかに記載の傘における下ロクロ固定構造。
【請求項５】
前記溝は、前記弾性体による付勢を許す深さであるとともに、該溝の上方の底面に前記中棒側に向かう突起が設けられ、該突起は、前記把持部が前記下ロクロ筒部に対して下方にあるときに、前記係止片の下方延長部に当接して該弾性体を圧縮して該下方延長部を前記中棒側へ回動させることを特徴とする請求項１〜３のいずれかに記載の下ロクロ固定構造。
【請求項６】
前記把持部を前記下ロクロ筒部に対して下方へ摺動させた際、該把持部が該下ロクロ筒部から逸脱しないような構成を備えたことを特徴とする請求項１〜５のいずれかに記載の傘における下ロクロ固定構造。
【請求項７】
請求項６において、前記下ロクロ筒部の下端にフランジが形成され、前記把持部を該下ロク筒部に対して下方に摺動させると、該把持部の下端が該フランジの上面に当接することで、該把持部が該下ロクロ筒部から逸脱するのを防止することを特徴とする傘における下ロクロ固定構造。
【発明の詳細な説明】
【技術分野】
【０００１】
この発明は傘における下ロクロの固定構造に関し、具体的にはハジキを用いずに、下ロクロを中棒上方で固定して開傘状態を維持するための構造に関する。
【背景技術】
【０００２】
図１１に従来の下ロクロ固定構造を備えた傘の概略図を示した。傘には、中棒５が固定されるとともに、親骨３を枢支する上ロクロ２と、受け骨４の枢支部１１を備えて中棒５に案内されて摺動する中空筒状の下ロクロ１とを備えている。下ロクロ１の下方に一体的に形成されている円筒部分１２は、傘を開くときに下ロクロ１を上方へ摺動させ際に人が手に持つ部分である。中棒５内に出没可能なハジキ６は、上端を水平な底辺とする略三角形状の薄いプレートで、中棒５内にあるバネによって突出方向へ付勢されている。
【０００３】
開傘時に下ロクロ１を上方へ摺動させると、ハジキ６は、突出状態から一旦、下ロクロ１の筒内壁により押圧されて中棒５内に収納されたのち、下ロクロ１が上死点まで摺動されると、筒内壁による圧力より開放され、下ロクロ１の下方にて突出し、その底辺が下ロクロ１の下端に当接する。それによって、下ロクロ１の下方への摺動動作を不能にし、開傘状態を維持させる。
【発明の開示】
【発明が解決しようとする課題】
【０００４】
従来の下クロ固定構造では、開傘状態にある傘を閉じるとき、ハジキを指先の腹でバネに抗して中棒内に押し込む。そのため、薄いプレートの端面が指先の腹に食い込み、痛みを感じることがある。ハジキを押し込むと、下ロクロが下端の支えを失って急速に下方に摺動し、ハジキを押し込んだ指が下ロクロと中棒との間に挟まれることもある。
【０００５】
ハジキは、中棒内にバネを収納する構造のため、バネが中棒内で引っかかるなどして、ハジキが出没不能となる不良が発生することがある。経年変化による錆や変形などによって出没不能になることもある。このように、ハジキを必要とするロクロ構造自体に問題がある。
【０００６】
またハジキは、上端を水平な底辺とする略三角形状であり、バネの圧力により中棒の外へ逸脱してしまわないように、中棒延長方向に沿う上下方向の辺の長さが中棒外に突出している長さよりかなり長くなっている。そのため、伸縮式の中棒構造を有する折り畳み傘では、折り畳み時の傘の全長を規定する最上段の中棒にハジキを収納するための長さが必要となり、折り畳み時の傘の全長を劇的に短縮することは極めて困難であった。
【０００７】
折り畳み傘では、下へ向かって径が太くなるように中棒が入れ子式になっており、最上段の中棒は、ハジキを収納するための太さが必要となる。そのため、入れ子の段数が多い折り畳み傘ほど、折り畳み時に、全長の長さに反比例して径が太くなる。また、重量もかさむ。そのため、折り畳み時の小型・軽量化に限界があった。もちろん、中棒を細くすることによる軽量化は、折り畳み傘だけでなく、傘の携行時／使用時を問わず、快適性を向上させるために必要である。
【０００８】
本発明は、上記課題に鑑みなされたもので、その目的は、開傘時や閉傘時にハジキを操作することの不具合を無くし、軽量化や折り畳み傘における収納時の小型化などを達成するための傘の下ロクロ固定構造を達成することにある。
【課題を解決するための手段】
【０００９】
上記課題を解決するための本発明は、傘において、受け骨の中棒側端部を枢支ワイヤにて枢支する枢支部と、該枢支部の下方に一体的に形成された下ロクロ筒部とを備えて該中棒に摺動自在に案内される中空筒状の下ロクロを該中棒の上方で固定して開傘状態を維持するための構造であって、
該中棒に対して上下方向外側に延長して略「く」の字形を成し、当該「く」の字の屈曲点で該受け骨とともに該枢支ワイヤにて枢支され、該枢支ワイヤを軸として回動可能な係止片と、
該係止片の上端に形成された係止部と
該中棒上方に固定されて、該係止部と係合可能な係合部と、
該下ロクロ筒部に環装されて、該筒部に対して摺動可能な中空筒状の把持部と、
該把持部の筒内壁に上下方向に延長して画成されて該係止片の下方延長部を案内する溝と、
該係止片の下方延長部と該下ロクロ筒部の側面との間に介在する弾性体と、
を備え、
該弾性体は、該係止片の下方延長部を該中棒に対して放射方向外側へ付勢し、
該溝の底面形状は、該把持部を該下ロクロ筒部に対して下方に摺動させた状態では該弾性体の付勢に抗して該係止部の下端を該中棒側へ近接させるとともに、該下ロクロ筒部に対して上方に摺動させた状態では該弾性体による付勢を許すように形成され、
該把持部を該下ロクロに対して上方に摺動させた後、さらに上方へ摺動させる動作に連動して該下ロクロが該中棒に対して上方へ摺動し、該係止部と該係合部が対応する位置にて係合して該下ロクロを摺動不能にして、開傘状態を維持させ、
該係止片の下方延長部は、開傘状態における該把持部の下方への摺動動作に連動して該弾性体による付勢に抗して該中棒側へ回動し、該上方延長部が該中棒に対して放射外方向へ回動し、該係止部と該係合部の係合が解除される
傘における下ロクロ固定構造である。
【００１０】
また、前記中棒の上方に固定される中空筒状の下ロクロ固定部を備え、前記係合部は、該下ロクロ固定部の側面に穿設された穴であり、前記係止部は、前記係止片の上方先端に中棒側に鈎型に屈曲するフックである傘における下ロクロ固定構造とすることもできる。または、前記中棒の上方に固定される中空筒状の下ロクロ固定部を備え、前記係合部は、該下ロクロ固定部の側面に突設された突起であり、前記係止部は、前記係止片の上方先端に穿設されて当該突起が挿入される穴である傘における下ロクロ固定構造としてもよい。
【００１１】
前記溝は、前記把持部の下端から上端へ向けて徐々に底が浅くなるように傾斜し、該把持部上端における溝の底は、該把持部を前記下ロクロ筒部に対して下方に摺動させた状態において前記係止片の下方延長部に当接して前記弾性体の付勢に抗して前記係止部の下端を前記中棒側へ近接させ、該把持部下端における溝の底は、該把持部を該下ロクロ筒部に対して上方に摺動させた状態において、該弾性体による付勢を許す深さに形成されている傘における下ロクロ固定構造としてもよい。
【００１２】
あるいは、前記溝は、前記弾性体による付勢を許す深さであるとともに、該溝の上方の底面に前記中棒側に向かう突起が設けられ、該突起は、前記把持部が前記下ロクロ筒部に対して下方にあるときに、前記係止片の下方延長部に当接して該弾性体を圧縮して該下方延長部を前記中棒側へ回動させる傘における下ロクロ固定構造としてもよい。
【００１３】
前記把持部を前記下ロクロ筒部に対して下方へ摺動させた際、該把持部が該下ロクロ筒部から逸脱しないような構成を備えた傘における下ロクロ固定構造も本発明の範囲であり、前記下ロクロ筒部の下端にフランジが形成され、前記把持部を該下ロク筒部に対して下方に摺動させると、該把持部の下端が該フランジの上面に当接することで、該把持部が該下ロクロ筒部から逸脱するのを防止する傘における下ロクロ固定構造とすることもできる。
【発明の効果】
【００１４】
本発明の下ロクロ固定構造によれば、ハジキを不要とし、ハジキ操作時の指の損傷や、ハジキの出没不良による傘の機能不全をなくすことができる。また、中棒にハジキを収納するための長さや太さが不要となり、傘の軽薄化を達成できる。折り畳み傘においては、折り畳み時の全長を規定する最上段の中棒を短くでき、折り畳み時の全長を極めて短くすることができる。
【発明を実施するための最良の形態】
【００１５】
＝＝＝本発明の下ロクロ固定構造＝＝＝
本発明における下ロクロ固定構造を備えた傘は、受け骨の枢支部を備えて中棒に摺動自在に案内される下ロクロを備え、その下ロクロを中棒上方で固定することで開傘状態を維持する。しかし、本実施例の下ロクロ固定構造によれば、開傘状態を維持するためにハジキを必要としない。
【００１６】
図１（Ａ）（Ｂ）に本発明の実施例における下ロクロ固定構造の概略を示した。（Ａ）は下ロクロを固定したときの状態であり、（Ｂ）はその固定状態を解除する過程の状態を示している。また、図２に下ロクロ１の一部破断側面図を示し、図２におけるＡ−Ａ矢視断面図を図３に示した。
【００１７】
下ロクロ１は、受け骨４を枢支ワイヤ１３にて枢支する枢支部１１を備え、受け骨４の端部には、枢支ワイヤ１３が挿通される穴７が穿設されている。本実施例では、この枢支部１１に受け骨４と同様に枢支ワイヤ１３によって係止片２０を枢支させている。係止片２０は、枢支ワイヤ１３による枢支点から上下方に延長しつつその先端が徐々に中棒５から外方向へ向かう略「く」の字型を成している。そして、その「く」の字の屈曲点に穿設された穴２４を枢支点として、この穴に枢支ワイヤ１３が挿通され、係止片２０は、この枢支ワイヤ１３を軸として回動可能となっている。また、係止片２０の上方延長部２１の先端は中棒５側へ鈎型に屈曲したフック２３となっている。
【００１８】
一方、係止片２０の下方延長部２２は、その中棒５側の面と下ロクロ１の下方に一体形成されている筒部（下ロクロ筒部）１２の側面との間に介在する弾性体１４により中棒５から外へ向かう方向へ付勢されている。すなわち、この付勢が許されているときには、係止片２０の上方延長部２１が枢支ワイヤ３による枢支点２４を軸にして中棒３方向へ回動した状態となる。本実施例では、弾性体としてコイルバネ１４を用い、そのコイルバネ１４の両端を、下ロクロ筒部１２の側面と係止片２０の下方延長部２２のそれぞれに埋設させて下ロクロ筒部１２と係止片２０の間に介在させている。
【００１９】
中棒５の上方には、中空筒状の部材（下ロクロ固定部）４０が中棒に挿通された状態で固定されている。下ロクロ固定部４０の底面は、開傘状態にあるときの下ロクロ１の上面が当接する位置にほぼ一致し、下ロクロ固定部４０の側面には、矩形状の穴４１が形成され、この穴４１の下端に係止片２０のフック２３が引っ掛かるようになっている。すなわち、本実施例の下ロクロ固定構造は、フック（係止部）２３と穴（係合部）４１とを係合させることで、下ロクロ１を固定し開傘状態を維持するものである。傘を閉じるときには、その係合を解除し、下ロクロ１を下方へ摺動させればよい。
【００２０】
本発明では、フック２３と係合部３１とを係合／解除をするための構成として、下ロクロ１の下方に一体成形された筒部（下ロクロ筒部）１２に環装されて、人が手に持って下ロクロ１を中棒５に対して摺動させるための中空筒状の把持部３０を備えている。把持部３０の筒内壁には、係止片２０を案内するための溝４１が上下方向に画成されており、係止片２０は、この溝３１に沿って把持部３０に対して摺動する。溝３１の形状は、延長方向に渡って均一ではなく、把持部３０を下ロクロ筒部１２に対して下方に摺動させた状態ではコイルバネ１４の付勢に抗して係止片２０の下方延長部２２を中棒５側へ近接させるとともに、下ロクロ筒部１２に対して上方に摺動させた状態ではコイルバネ１４による付勢を許すように形成されている。そして、その溝形状により、把持部３０を摺動させる動作に伴って、溝３１に案内される係止片２０の下方延長部２２を中棒５に対して内外へ回動させることで、先端のフック２３を係合部４１に係合させたり、その係合を解除したりするようになっている。
【００２１】
＝＝＝下ロクロの固定動作＝＝＝
図４に本実施例における把持部３０の概略を示した。中棒５が挿通される中空部３５の内壁３６の一部に溝３１が画成されている。溝３１の形状は、その縁３２が中棒５と平行に上下方向に延長しているのに対し、底３３が上端３４に向かって中棒５方向へ傾斜し、上方に向かって徐々に底３３が浅くなるような形状となっている。図５に、本実施例の下ロクロ固定構造における具体的な動作を示した。傘が閉じた状態（Ａ）にあるとき、下ロクロ１は中棒５の下方にあり、把持部３０を手に持って下ロクロ筒部１２に対して上方へ摺動させると、把持部３０の上面が枢支部１１の下面に当接し、下ロクロ１が中棒５に対して上方へ摺動される。このとき、溝３１の底３３の傾斜方向と、係止片２０の下方延長部２２がコイルバネ１４により付勢されて傾斜している方向とがほぼ一致している。すなわち、コイルバネ１４による付勢が許されている状態となっている。
【００２２】
次に、把持部３０を上方へ押し上げる動作に連動して下ロクロ１が上方へ摺動していくと（Ｂ）、係止片２０のフック２３が、まず、下ロクロ固定部４０の下端に当接する。この実施例では、下ロクロ固定部４０の下端は、中棒５側へ向かうようにテーパー４２が形成されており、フック２３の上端面がそのテーパー４２に沿って下ロクロ固定部４０の外周面に乗り上げ易いようになっている。このとき、係止片２０は、枢支ワイヤ１３を軸にして、下方延長部２２が、コイルバネ１４による付勢に抗して中棒５側へ傾くように回動する。下ロクロ１がさらに上方へ摺動されると、係止片２０の先端のフック２３が下ロクロ固定部４０の側面に形成された矩形の穴からなる係合部４１に落ち込み、フック２３の下面がその穴の下端面に先端が引っ掛かり、係合部４１とフック２３とが係合する（Ｃ）。そして、下ロクロ１が下方へ押し下げられる力に抗して固定され、開傘状態が維持される。
【００２３】
開傘している状態で、把持部３０を下ロクロ１に対して下方に摺動させると（Ｄ）、その摺動過程で、係止片２０の下方延長部２２は、徐々に浅くなっていく溝３１に案内されて、コイルバネ１４を中棒５側に圧縮し、上方延長部２１は、中棒５から外へ向かう方向に回動する。そして、最終的にフック２３と係合部４１の係合状態が解除する。係合が解除されると、下方へ押し下げられる力が解放された下ロクロ１が速やかに中棒５に対して下方に摺動し、傘が閉じられる。
【００２４】
＝＝＝その他の実施例＝＝＝
係止部と係合部は、上記実施例に限らず、例えば、図６（Ａ）に示すように、下ロクロ固定部４０の側面に穴を穿設せず、下ロクロ固定部４０の上端４１ｂを係合部４１として、その上端４１ｂにフック形状の係止部２３を引っ掛けるようにしてもよい。あるいは、中棒５の上方に固定されたロクロ固定部４０に係合部４１を形成せず、中棒５の側面にフック形状の係止部２３と係合可能な凹部を設けて、この凹部を係合部とすることもできる。すなわち、中棒の上方に係止部と係合するように固定されている係合部があればよい。
【００２５】
係止部と係合部は１組に限らず、同図（Ｂ）に示すように、中棒５に対して対称となる２箇所にそれぞれ１組ずつ設けてもよい。もちろん、中棒５を取り囲むように３組以上設けることもできる。あるいは、図７に示すように、係止部２３と係合部４１の関係を上記実施例とは逆にして、下ロクロ固定部４０の側面設けた突起４１ｃを係合部４１とし、係止片２０の上端にその突起４１ｃに勘合する穴２３ｂを係止部２３として設けてもよい。
【００２６】
溝３１の形状は上記実施例に限らず、例えば、図８に示すように、コイルバネ１４による付勢を許す深さの溝３１ｂとするとともに、溝３１ｂの上方の底面３３に中棒５側に向かう突起３７を設け、把持部３０が下ロクロ１に対して下方にあるとき、その突起３７が係止片２０の下方延長部２２に当接して弾性体１４を圧縮するように構成してもよい。このように、把持部３０が下ロクロ１に対して上方にあるときは弾性体１４による付勢を許し、下方にあるときに弾性体１４を圧縮させるような形状であれば、溝３１の形状はどのような形状であってもよい。
【００２７】
また、把持部３０を下ロクロ１に対して下方へ摺動させた際、把持部３０が下ロクロ１から逸脱しないような構成を備えていてもよい。当該構成としては、例えば、図９に例示したように、下ロクロ筒部１２の下面にフランジ１５を形成し、フランジ１５の上面に把持部３０の下面が当接する構成などが考えられる。
【００２８】
係止片２０の下方延長部２２を中棒５外側へ付勢するための弾性体は、コイルバネに限らず、板バネでもよい。あるいは、図１０に示すように、係止片２０の下方延長部２２に可撓変形する舌片１４ｂを形成し、この舌片１４ｂを弾性体１４としてもよい。（Ａ）は付勢が許されている状態であり、（Ｂ）は、係止片２０の下方延長部２２が中棒５側へ回動するのに伴って舌片１４ｂが可撓変形した状態である。もちろん、舌片１４ｂに相当する可撓変形可能な構成を下ロクロ筒部１２の外周に形成してもよい。
【図面の簡単な説明】
【００２９】
【図１】本発明の実施例における下ロクロ固定構造を採用した傘の概略図である。
【図２】上記下ロクロ固定構造における下ロクロの側面図である。
【図３】上記下ロクロの水平断面図である。
【図４】上記下ロクロ固定構造における把持部の概略図である。
【図５】上記下ロクロ固定構造の動作を示す概略図である。
【図６】本発明のその他の実施例に係る下ロクロ固定構造概略図である。
【図７】上記下ロクロ固定構造における係止部と係合部の変更形態を示す概略図である。
【図８】上記下ロクロ固定構造における把持部の変更形態を示す概略図である。
【図９】上記下ロクロ固定構造における下ロクロの変更形態を示す概略図である。
【図１０】上記下ロクロ固定構造における弾性体の変更形態を示す概略図である。
【図１１】従来の下ロクロ固定構造を採用した傘の概略図である。
【符号の説明】
【００３０】
１  下ロクロ
４  受け骨
５  中棒
１１  受け骨枢支部
１２  下ロクロ筒部
１３  枢支ワイヤ
１４、１４ｂ  弾性体
２０  係止片
２１  係止片上方延長部
２２  係止片下方延長部
２３、２３ｂ  係止部
３０  把持部
３１  溝
４０  下ロクロ固定部
４１、４１ｂ、４１ｃ  係合部
【図１】
2009045359.tif 000003
【図２】
2009045359.tif 000004
【図３】
2009045359.tif 000005
【図４】
2009045359.tif 000006
【図５】
2009045359.tif 000007
【図６】
2009045359.tif 000008
【図７】
2009045359.tif 000009
【図８】
2009045359.tif 000010
【図９】
2009045359.tif 000011
【図１０】
2009045359.tif 000012
【図１１】
2009045359.tif 000013